(57)【特許請求の範囲】
【請求項１】
コンバージョンレンズを有するコンバージョンレンズ装置に設けられた第１磁性体と、
マスターレンズを有する装置本体に設けられた第２磁性体と、を備え、
前記第１磁性体の第１面と前記第２磁性体の第２面との間の吸着作用によって、前記コンバージョンレンズ装置が前記装置本体に取り付けられた状態に保持され、
前記第２磁性体は、前記第２面の法線が前記マスターレンズの光軸に平行とならないように設けられ、
前記装置本体には、前記吸着作用によって前記コンバージョンレンズ装置と密着する被接触面と、前記コンバージョンレンズ装置が挿入される被挿入部と、が形成されており、
前記装置本体における前記被接触面と前記被挿入部との間に、前記第２磁性体が設けられている、
コンバージョンレンズの取付構造。
【請求項２】
前記第１磁性体は、前記第１面の少なくとも一部が前記第２磁性体の前記第２面と略平行となるように配置されている、
請求項１に記載のコンバージョンレンズの取付構造。
【請求項３】
前記コンバージョンレンズ装置は、前記コンバージョンレンズを保持するレンズ枠を有し、
前記レンズ枠には、前記第２磁性体に対応するように複数の前記第１磁性体が配置されている、
請求項１又は２に記載のコンバージョンレンズの取付構造。
【請求項４】
前記レンズ枠は、
前記装置本体における前記第２磁性体よりも外側の外周部に配置された前記被接触面と接触する接触部と、
前記接触部よりも前記コンバージョンレンズの光軸側に設けられ、前記第２磁性体との接触を回避するように形成された接触回避部と、を有している、
請求項３に記載のコンバージョンレンズの取付構造。
【請求項５】
前記接触部と接触する前記被接触面の領域には、シボ加工が施されている、
請求項４に記載のコンバージョンレンズの取付構造。
【請求項６】
前記レンズ枠には、前記コンバージョンレンズ装置を前記装置本体に取り付けた際に円形状の前記被挿入部に挿入される円筒状の突出部が形成されている、
請求項３から５のいずれか１項に記載のコンバージョンレンズの取付構造。
【請求項７】
前記第１磁性体は永久磁石を含む、
請求項１から６のいずれか１項に記載のコンバージョンレンズの取付構造。
【請求項８】
前記第２磁性体はステンレスから構成された金属片を含む、
請求項１から７のいずれか１項に記載のコンバージョンレンズの取付構造。
【請求項９】
コンバージョンレンズを有するコンバージョンレンズ装置に設けられた第１磁性体と、マスターレンズを有する装置本体に設けられた第２磁性体と、を備え、前記第１磁性体の第１面と前記第２磁性体の第２面との間の吸着作用によって、前記コンバージョンレンズ装置が前記装置本体に取り付けられた状態に保持され、前記第２磁性体は、前記第２面の法線が前記マスターレンズの光軸に平行とならないように設けられているコンバージョンレンズの取付構造を有する前記コンバージョンレンズ装置と、
前記装置本体と、を備え、
少なくとも前記マスターレンズを通して検査対象を検査するための検査装置であって、
前記装置本体は、可視光を検査対象に照射する第１光源及び偏光した可視光を検査対象に照射する第２光源を有する、
検査装置。
【請求項１０】
請求項１から８のいずれか１項に記載のコンバージョンレンズの取付構造を有する前記コンバージョンレンズ装置及び前記装置本体を備え、少なくとも前記マスターレンズを通して検査対象を検査するための検査装置であって、
前記装置本体は、可視光を検査対象に照射する第１光源及び偏光した可視光を検査対象に照射する第２光源を有する、
検査装置。
【請求項１１】
前記第１光源及び前記第２光源は、前記装置本体の検査対象が位置する側であり、かつ前記コンバージョンレンズ装置が取り付けられる側とは反対側から光を照射する、
請求項９又は１０に記載の検査装置。
【請求項１２】
前記第１光源及び第２光源は、前記マスターレンズの周囲に配置されている、
請求項９から１１のいずれか１項に記載の検査装置。
【発明の詳細な説明】
【技術分野】
【０００１】
本発明は、コンバージョンレンズの取付構造、及び検査装置に関する。
【背景技術】
【０００２】
装置本体に取り付けられるコンバージョンレンズの取付構造については種々の構造が提案されている。例えば、特許文献１は、コンバージョンレンズを有するコンバージョンレンズ装置に設けられた磁石が、携帯電話の表面に設けられた金属片を吸着することで、コンバージョンレンズを携帯電話に取り付ける構造を開示している。
【先行技術文献】
【特許文献】
【０００３】
【特許文献１】登録実用新案第３０９６６０３号公報
【発明の概要】
【発明が解決しようとする課題】
【０００４】
特許文献１に開示の携帯電話において、磁石に吸着される金属片は、カメラの光軸に直交するように設けられている。そのため、携帯電話の表面には、金属片を設ける領域として、金属片の平面寸法と等しい大きさの領域を確保しなければならず、また、コンバージョンレンズが外れないように、ある程度の磁石による吸着力を確保するために、金属片にはある程度の大きさが必要である。以上により、上記の従来の取付構造では、コンバージョンレンズを取り付ける携帯電話の部分が比較的大型化してしまう。
【０００５】
本発明は、上記のような問題点を解決するためになされたものであり、装置本体へのコンバージョンレンズの保持力を適切に確保できるとともに、コンバージョンレンズを取り付けるための構造をコンパクトにすることができるコンバージョンレンズの取付構造、及び検査装置を提供することを目的とする。
【課題を解決するための手段】
【０００６】
本発明に係るコンバージョンレンズの取付構造は、コンバージョンレンズを有するコンバージョンレンズ装置に設けられた第１磁性体と、マスターレンズを有する装置本体に設けられた第２磁性体と、を備え、前記第１磁性体の第１面と前記第２磁性体の第２面との間の吸着作用によって、前記コンバージョンレンズ装置が前記装置本体に取り付けられた状態に保持され、前記第２磁性体は、前記第２面の法線が前記マスターレンズの光軸に平行とならないように設けられ、前記装置本体には、前記吸着作用によって前記コンバージョンレンズ装置と密着する被接触面と、前記コンバージョンレンズ装置が挿入される被挿入部と、が形成されており、前記装置本体における前記被接触面と前記被挿入部との間に、前記第２磁性体が設けられている。
【発明の効果】
【０００７】
本発明によれば、装置本体へのコンバージョンレンズの保持力を適切に確保できるとともに、コンバージョンレンズを取り付けるための構造をコンパクトにすることができるコンバージョンレンズの取付構造、及び検査装置を提供することができる。
【図面の簡単な説明】
【０００８】
【図１】本発明の実施の形態に係る検査装置を示す図であり、コンバージョンレンズ装置が取り外された状態の斜視図。
【図２】本発明の実施の形態に係る検査装置を示す図であり、コンバージョンレンズ装置が取り付けられた状態の斜視図。
【図３】図１中の矢印ＩＩＩからみた装置本体の正面図。
【図４】図１中の矢印ＩＶからみた装置本体の背面図。
【図５】図３中の切断線Ｖ−Ｖで切断した装置本体の断面図。
【図６】図５中の“ＶＩ”部の拡大図。
【図７】図１中の矢印ＶＩＩからみたコンバージョンレンズ装置の正面図。
【図８】図７中の切断線ＶＩＩＩ−ＶＩＩＩで切断したコンバージョンレンズ装置の断面図。
【図９】図８中の“ＩＸ”部の拡大図。
【図１０】本発明の実施の形態に係る検査装置を示す図であり、コンバージョンレンズ装置が取り付けられた状態の断面図。
【図１１】図１０中の“ＸＩ”部の拡大図。
【図１２】本発明の実施の形態に係る検査装置を、コンバージョンレンズ装置を取り外して使用している様子を示した図であり、（ａ）は可視光を出射している状態を示した概略図、（ｂ）は偏光した可視光を出射している状態を示した概略図。
【図１３】本発明の実施の形態に係る検査装置をコンバージョンレンズ装置を取り付けて使用している様子を示した図であり、（ａ）は可視光を出射している状態を示した概略図、（ｂ）は偏光した可視光を出射している状態を示した概略図。
【発明を実施するための形態】
【０００９】
以下、本発明の実施の形態について、図面を参照しながら説明する。なお、実施の形態の理解を容易にするため、図１に示す直交座標系を適宜参照しながら説明する。この直交座標系におけるＸ軸方向及びＹ軸方向は、後述するマスターレンズ２０の光軸ＯＡ１（図５）及びコンバージョンレンズ１１０の光軸ＯＡ２（図８）に直交する。一方、直交座標系におけるＺ軸方向は、マスターレンズ２０の光軸ＯＡ１及びコンバージョンレンズ１１０の光軸ＯＡ２に平行である。
【００１０】
なお、本願明細書では、「マイクロスコープ（Microscope）：顕微鏡」及び「マイクロスコピー（Microscopy）：顕微鏡による検査又は顕微鏡使用（法）」の使い分けに準じ、「ダーモスコープ（Dermoscope）」及び「ダーモスコピー（Dermoscopy）」の用語を、皮膚検査用の拡大鏡（装置）及び同拡大鏡を用いた皮膚検査又は同拡大鏡使用（行為）という意味で用いている。
【００１１】
（検査装置１の概要）
検査装置１は、皮膚を検査対象としたダーモスコープである。検査装置１は、図１及び図２に示すように、装置本体１０と、装置本体１０の−Ｚ軸方向側の面に着脱が可能なコンバージョンレンズ装置１００とを備えている。図１に示すように、コンバージョンレンズ装置１００が取り外された状態（第１状態）において、ユーザは、装置本体１０に設けられた円形状のマスターレンズ２０を通して、＋Ｚ軸方向側に配置された皮膚について、ダーモスコピー検査を行うことができる。一方、図２に示すように、装置本体１０にコンバージョンレンズ装置１００が取り付けられた状態（第２状態）において、ユーザは、マスターレンズ２０、及びコンバージョンレンズ装置１００に設けられた円形状のコンバージョンレンズ１１０を通して、＋Ｚ軸方向側に配置された皮膚について、ダーモスコピー検査を行うことができる。マスターレンズ２０及びコンバージョンレンズ１１０は、拡大レンズである。ユーザは、検査装置１の状態を第１状態と第２状態との間で適宜変化させることで、所望の大きさに拡大した皮膚を観察することができる。
【００１２】
（装置本体１０の構成）
装置本体１０は、図１及び図２に示すように、−Ｚ軸側に設けられた第１ケース３１と、＋Ｚ側に設けられた第２ケース３２とが互いに組み合わされて構成されたケース体３０を有している。第１ケース３１及び第２ケース３２は、例えば白色の合成樹脂から構成されている。第１ケース３１は、図３に示すように、＋Ｙ軸方向側に向かうにつれて幅が広がる拡幅部３５ａと、半円状の半円部３５ｂとを組み合わせたような平面形状を有している。第１ケース３１には、拡幅部３５ａと半円部３５ｂとの接続部に円形状の開口３０ｂが形成されている。第２ケース３２は、図４に示すように、＋Ｙ軸方向側に向かうにつれて幅が広がる拡幅部３６ａと、半円状の半円部３６ｂとを組み合わせたような平面形状を有している。第２ケース３２には、拡幅部３６ａと半円部３６ｂとの接続部に円形状の開口３２ａが形成されている。第２ケース３２に形成された開口３２ａは、第１ケース３１に形成された開口３０ｂよりも大きい。
【００１３】
第１ケース３１と第２ケース３２との間には、各種の部品を収容するための図示しない収容空間が形成されている。例えばケース体３０の収容空間には、図３に示すように、充電式の電池４０、及び各種電子部品と電気的に接続された回路基板４１が収容されている。電池４０は、検査装置１の各種電子部品に電気を供給する。
【００１４】
また、ケース体３０には、図１に示すように、開口３０ｂを塞ぐマスターレンズ２０が設けられている。また、ケース体３０には、図４に示すように、開口３２ａを塞ぐようにカバープレート２１が設けられている。
【００１５】
図１及び図２に示すように、ケース体３０の−Ｙ軸方向側の端面には、電池４０に充電を行う際に用いられる充電用端子４２と、ストラップ（不図示）を通すための孔を有するストラップ取付部４３とが設けられている。また、図３及び図４に示すように、ケース体３０には、＋Ｘ軸方向側の側面に電源ボタン４４が設けられ、−Ｘ軸方向側の側面に発光させる光源を切り換える際に押圧操作される切替ボタン４５が設けられている。
【００１６】
図６に示すように、第１ケース３１の開口３０ｂの周囲には、被接触面３１ａ、傾斜面３１ｂ、及び傾斜壁３１ｃが、外側からこの順で形成されている。被接触面３１ａは、図１に示すコンバージョンレンズ装置１００と接触する領域である。被接触面３１ａにはシボ加工が施されており、成形する際に金型の表面に形成された細かい模様が転写されている。傾斜面３１ｂは、被接触面３１ａから段落ちした箇所である。傾斜面３１ｂは、被接触面３１ａから傾斜壁３１ｃに向かうにつれて徐々に＋Ｚ方向に形成された面で、Ｘ−Ｙ平面に対して傾斜した面である。傾斜壁３１ｃは、Ｚ軸方向に対して角度θだけ傾斜している。傾斜壁３１ｃは、Ｚ軸方向に貫通する円筒状に形成されており、その径が−Ｚ軸方向ほど大きくなるように形成されている。傾斜壁３１ｃの＋Ｚ軸側の端部には、第１ケース３１の開口３０ｂが形成されている。傾斜壁３１ｃのＸ−Ｙ平面に対する傾きの程度は、傾斜面３１ｂのＸ−Ｙ平面に対する傾きの程度よりも大きい。傾斜壁３１ｃは、図８に示すコンバージョンレンズ装置１００に設けられた円筒状の突出部１２２ｃが挿入される被挿入部３０ａの一部を画定する。傾斜面３１ｂには、第２磁性体としての金属片３４が両面テープ３３により貼付されている。
【００１７】
金属片３４は、永久磁石に吸着される磁性体、例えばステンレスで構成されている。金属片３４は、図６に示すように、傾斜面３１ｂの形状に対応した形状を有している。すなわち、金属片３４は、図１及び図５に示すように、Ｚ軸方向に貫通する円筒状に形成されており、その径が−Ｚ軸方向ほど大きくなるように形成されている。そのため、図５に示すように、金属片３４の主面３４ａは傾斜している。主面３４ａの法線Ｎ１は、Ｚ軸方向に延びるマスターレンズ２０の光軸ＯＡ１に対して平行ではなく、光軸ＯＡ１に近づく方向に向けられている。なお、主面３４ａの傾斜角度は表面位置により異なるが、いずれの表面位置においてもその法線が延びる方向は、マスターレンズ２０の光軸ＯＡ１と平行にならない。また、ケース体３０の被接触面３１ａと金属片３４の主面３４ａとが隣接する箇所には、段差Ｈが形成されており、金属片３４の主面３４ａは被接触面３１ａよりも＋Ｚ軸側に引っ込んだ位置にある。
【００１８】
マスターレンズ２０は、拡大倍率がおよそ６倍の拡大レンズである。マスターレンズ２０は、図５に示すように、第１ケース３１と後述する収容部５３との間で、その外周部２０ａが挟持されている。カバープレート２１は、例えば透明の合成樹脂から構成され、円板状に形成されている。カバープレート２１は、第２ケース３２と後述する収容部５３との間で、その外周部２１ａが挟持されており、マスターレンズ２０を＋Ｚ軸側から覆っている。ダーモスコピー検査を行う際、装置本体１０よりも＋Ｚ軸方向側にある皮膚は、マスターレンズ２０により拡大され、マスターレンズ２０及びカバープレート２１を通してユーザに観察される。
【００１９】
また、ケース体３０のマスターレンズ２０の周囲には、皮膚に光を照射するためのＬＥＤ（Light Emitting Diode）５０が搭載されたＬＥＤ基板５１と、ＬＥＤ５０から出射された光を光軸ＯＡ１に近づく方向に向けて導く導光部５２と、ＬＥＤ５０及び導光部５２を内部に収容する収容部５３と、ＬＥＤ５０からの光を偏光する偏光板５４とが設けられている。
【００２０】
ＬＥＤ基板５１は、マスターレンズ２０を取り囲むように環状に形成された基板である。ＬＥＤ基板５１には、図４に示すように、９つのＬＥＤ５０が周方向に沿って等間隔で配置されている。９つのＬＥＤ５０は、マスターレンズ２０の周囲に配され、外周位置から光を出射するリングフラッシュとして作用する。９つのＬＥＤ５０は、可視光を＋Ｚ軸方向に出射する。出射された光は、導光部５２に入射し、進行方向をマスターレンズ２０の光軸ＯＡ１に近づく方向に向けられて出射される。これにより、マスターレンズ２０の中央で観察される皮膚の領域に光を照射することができ、検査対象である皮膚にむらなく光を照射することができる。
【００２１】
収容部５３は、図４に示すように、９つのＬＥＤ５０に対応するそれぞれの位置にＺ軸方向に貫通する開口５３ａを有している。ＬＥＤ５０からの光は、この開口５３ａを通って出射される。なお、図４において、図面の見やすさを確保するため、開口５３ａの符号は１箇所のみ付しており、その他の開口５３ａの符号は省略している。
【００２２】
偏光板５４は、図５に示すように、カバープレート２１と収容部５３との間に介在している。図４においては、偏光板５４の詳細が理解できるように、偏光板５４を破線で図示し、偏光板５４の領域にハッチングを付している。したがって、図４における偏光板５４に付したハッチングは、断面を表すものではない。偏光板５４は、ＬＥＤ基板５１に対応して円環状に形成されており、内縁５４ｂから形成された３つの切欠き５４ａを有している。３つの切欠き５４ａは、偏光板５４の周方向に沿って等間隔で配置されており、対応するＬＥＤ５０の＋Ｚ軸方向側を開放するように形成されている。すなわち、９つ配置されたＬＥＤ５０のうちの３つは、偏光板５４に覆われておらず、可視光を出射するためのＬＥＤ５０ａとして用いられ、残りの６つは、偏光板５４に覆われており、偏光光を出射するＬＥＤ５０ｂとして用いられる。なお、偏光板５４に覆われたＬＥＤ５０ｂからの光は、偏光板５４を通過することによって光量が低下する。そのため、偏光光を出射するためのＬＥＤ５０ｂは、可視光を出射するためのＬＥＤ５０ａよりも多く設けられている。
【００２３】
なお、ダーモスコピー検査時に、可視光を皮膚に照射するか、偏光光を皮膚に照射するかは、図３等に示す切替ボタン４５を押圧操作して選択することができる。例えば、電源ボタン４４を押圧して検査装置１の電源をＯＮにすると、ＬＥＤ５０ａが可視光を出射する一方で、ＬＥＤ５０ｂは偏光光を出射しない第１光出射状態となる。第１光出射状態から、切替ボタン４５を一度だけ押圧すると、ＬＥＤ５０ａはＯＦＦとなり可視光を出射しない一方で、ＬＥＤ５０ｂはＯＮとなり偏光光を出射する第２光出射状態となる。このように、切替ボタン４５を押圧操作する度に、光の出射態様が第１光出射状態と第２光出射状態との間で切り替わる。
【００２４】
（コンバージョンレンズ装置１００の構成）
次に、装置本体１０に着脱されるコンバージョンレンズ装置１００の構成について説明する。コンバージョンレンズ装置１００は、図１及び図２に示すように、コンバージョンレンズ１１０と、コンバージョンレンズ１１０の外縁を保持するとともに内部に第１磁性体としての永久磁石１３０（図８）が設けられたレンズ枠１２０とを有している。
【００２５】
コンバージョンレンズ１１０は、図１に示すマスターレンズ２０と組み合わされて拡大倍率をおよそ９倍にすることができる拡大レンズである。
【００２６】
レンズ枠１２０は、図８に示すように、−Ｚ軸側に設けられた第１ケース１２１と、第１ケース１２１に組み合わされる＋Ｚ側に設けられた第２ケース１２２とを有している。レンズ枠１２０は、例えば白色の合成樹脂から構成されている。第１ケース１２１の中央には、Ｚ軸方向に貫通する円形の開口１２１ａが形成されている。また、第２ケース１２２の中央には、Ｚ軸方向に貫通する円形の開口１２４が形成されている。第１ケース１２１と第２ケース１２２とは、円形の開口１２１ａの中心と、円形の開口１２４の中心とを互いに一致させて組み合わされる。このようにして組み合わされる際、第１ケース１２１及び第２ケース１２２は、開口１２１ａ及び開口１２４を塞ぐようにして設けられたコンバージョンレンズ１１０の外縁１１０ａを挟持する。これにより、コンバージョンレンズ１１０は、レンズ枠１２０に保持されている。また、レンズ枠１２０の側面（Ｘ−Ｚ平面上の面）には、図１及び図２に示すように、ストラップ（不図示）を通すための孔を有するストラップ取付部１２６が設けられている。また、レンズ枠１２０の側面には、中央側が凹んだ窪み部１２５が周方向に延設されている。窪み部１２５はユーザの指に引っ掛かりやすく、これによりコンバージョンレンズ装置１００の取り扱いを容易にすることができる。
【００２７】
永久磁石１３０は、図７及び図８に示すように、円柱状に形成されており、コンバージョンレンズ１１０の周方向に等間隔で、６つ配置されている。永久磁石１３０は、図８に示すように、Ｘ−Ｙ平面に対して傾斜した第２ケース１２２の傾斜面１２３に取り付けられている。このように傾斜面１２３に取り付けられた永久磁石１３０は、コンバージョンレンズ装置１００を装置本体１０に取り付けた際に、その主面１３０ａが、図５に示す金属片３４の主面３４ａの少なくとも一部と略平行となるように配置されている。そのため、永久磁石１３０は、その主面１３０ａの法線Ｎ２がコンバージョンレンズ１１０の光軸ＯＡ２に平行とならないように配置されている。
【００２８】
また、第２ケース１２２は、図９に示すように、その＋Ｚ軸側の部分に、図６に示す第１ケース３１の被接触面３１ａと接触する接触部１２２ａと、接触部１２２ａから内側（光軸ＯＡ２に近づく側）に、かつ、＋Ｚ軸方向側に湾曲する接触回避部１２２ｂと、コンバージョンレンズ装置１００を装置本体１０に取り付けた際にケース体３０の被挿入部３０ａに差し込まれる円筒状の突出部１２２ｃとを有している。
【００２９】
接触部１２２ａは、図８に示すコンバージョンレンズ１１０の光軸ＯＡ２に直交する平面（Ｘ−Ｙ方向に延びる平面）から構成されており、第２ケース１２２の外縁に沿って円環状に形成された平面領域である。突出部１２２ｃは、接触回避部１２２ｂから＋Ｚ軸方向側に突出しており、その外周面１２２ｄは、Ｚ軸方向に対して角度θだけ傾斜している。この角度θは、図６に示す傾斜壁３１ｃのＺ軸方向に対する角度θと同じである。すなわち、突出部１２２ｃの外周面１２２ｄと、図６に示す傾斜壁３１ｃとは同一の方向に同一角度で傾斜している。また、突出部１２２ｃの外径は、被挿入部３０ａの内径よりも、例えば１ｍｍ小さい。
【００３０】
（コンバージョンレンズ装置１００が取り付けられた検査装置１の構成）
ダーモスコピー検査の際に、マスターレンズ２０の倍率よりも高倍率で拡大した皮膚を検査する場合、コンバージョンレンズ装置１００が装置本体１０に取り付けられる。その際、コンバージョンレンズ装置１００の突出部１２２ｃは、装置本体１０の被挿入部３０ａに挿入される。突出部１２２ｃの外径と被挿入部３０ａの内径はほぼ同寸法であるため、これによりコンバージョンレンズ装置１００のＸ−Ｙ平面方向のがたつきは抑制される。このとき、装置本体１０に設けられた金属片３４と、コンバージョンレンズ装置１００に設けられた永久磁石１３０とが近接する。これにより、永久磁石１３０の第１面としての主面１３０ａと、金属片３４の第２面としての主面３４ａとが互いに引き合う。これにより、コンバージョンレンズ装置１００は、磁力を介して装置本体１０に引き付けられて、装置本体１０に取り付けられ、保持される。
【００３１】
このとき、図１１に示すように、金属片３４と永久磁石１３０とが互いに引き合うと、装置本体１０とコンバージョンレンズ装置１００とは、接触領域１５０という限られた領域のみで互いに強く密着する。前述したように、この接触領域１５０は、マスターレンズ２０及びコンバージョンレンズ１１０の周囲を取り囲むように形成される円環状の領域である。これにより、検査中にコンバージョンレンズ装置１００が外れてしまうといった不具合が防止される。
【００３２】
なお、図６に示すように、金属片３４の主面３４ａと第１ケース３１の被接触面３１ａとの間に段差Ｈが設けられ、被接触面３１ａは主面３４ａよりも若干、−Ｚ軸方向側に位置している。また、図１１に示すように、第２ケース１２２の接触回避部１２２ｂは、金属片３４との接触を回避するように湾曲した形状に形成されている。以上により、コンバージョンレンズ装置１００と金属片３４との間には隙間が形成され、コンバージョンレンズ装置１００と金属片３４との接触が回避されている。
【００３３】
また、コンバージョンレンズ装置１００の突出部１２２ｃを、装置本体１０の被挿入部３０ａに挿入することで、コンバージョンレンズ装置１００を装置本体１０に正しく取り付けることができる。すなわち、突出部１２２ｃ及び被挿入部３０ａは、コンバージョンレンズ装置１００の位置決め手段として作用する。また、コンバージョンレンズ装置１００にＸ−Ｙ平面に平行な方向から力が作用しても、突出部１２２ｃが被挿入部３０ａに当接することによって、Ｘ−Ｙ平面上におけるコンバージョンレンズ装置１００の装置本体１０に対するずれが防止される。すなわち、突出部１２２ｃ及び被挿入部３０ａは、コンバージョンレンズ装置１００のＸ−Ｙ平面に平行な移動を制限する移動制限手段としても作用する。
【００３４】
（検査装置１の使用方法）
次に、検査装置１を用いてダーモスコピー検査を実行する方法について説明する。検査対象である皮膚を６倍程度に拡大してダーモスコピー検査をする場合、図１２（ａ），（ｂ）に示すように、コンバージョンレンズ装置１００が取り外された検査装置１で検査する。ユーザは、まず電源ボタン４４を押圧操作することで、検査装置１の電源をＯＮし、検査装置１から可視光４００を出射させる。検査装置１に設けられた光源のうち可視光４００を出射する光源は、図４に示す３つのＬＥＤ５０ａである。そして、ユーザは、皮膚３００に検査装置１を近づけ、皮膚３００に可視光４００を照射させる。そして、図１２（ａ）に示すように、ユーザは、皮膚３００と検査装置１との間の距離を適切に確保し、可視光４００を照射した皮膚３００を観察する。これにより、ユーザは、マスターレンズ２０を通して拡大された皮膚３００の表面側の角層の様子を観察することができる。
【００３５】
可視光４００を用いた皮膚３００の検査が終了すると、続いて、ユーザは、図３に示す切替ボタン４５を押圧して、光を出射する光源を切り替える。これにより、検査装置１から、偏光した可視光５００が出射される。検査装置１に設けられた光源のうち偏光した可視光５００を出射する光源は、図４に示す６つのＬＥＤ５０ｂ及び偏光板５４である。そして、ユーザは、皮膚３００に検査装置１を近づけ、皮膚３００に偏光した可視光５００を照射させる。そして、図１２（ｂ）に示すように、ユーザは、皮膚３００と検査装置１との間の距離を適切に確保し、偏光した可視光５００を照射した皮膚３００を観察する。これにより、ユーザは、皮膚３００の表面側の角層よりも深部の表皮内や真皮浅層の様子を、マスターレンズ２０を通すことで拡大した状態で観察することができる。
【００３６】
皮膚をより大きく拡大してダーモスコピー検査をする場合、図１３（ａ），（ｂ）に示すように、コンバージョンレンズ装置１００を取り付けた検査装置１を用いる。まず、ユーザは、検査装置１の電源が入っていない場合には電源ボタン４４を押圧して電源をＯＮにし、あるいは偏光した可視光５００が出射されている場合には図３に示す切替ボタン４５を押圧操作し、検査装置１から可視光４００を出射させる。そして、ユーザは、皮膚３００に検査装置１を近づけ、可視光４００を皮膚３００に照射させる。そして、図１３（ａ）に示すように、ユーザは、皮膚３００と検査装置１との間の距離を適切に確保し、可視光４００を照射した皮膚３００を観察する。これにより、ユーザは、マスターレンズ２０及びコンバージョンレンズ１１０を通してより拡大された皮膚３００の表面角層の様子を観察することができる。
【００３７】
可視光４００を用いた皮膚３００の検査が終了すると、続いて、ユーザは、図３に示す切替ボタン４５を押圧して、光を出射する光源を切り替える。これにより、検査装置１から偏光した可視光５００が出射される。そして、ユーザは、皮膚３００に検査装置１を近づけ、偏光した可視光５００を皮膚３００に照射させる。そして、図１３（ｂ）に示すように、ユーザは、皮膚３００と検査装置１との間の距離を適切に確保し、偏光した可視光５００を照射した皮膚３００を観察する。これにより、ユーザは、皮膚３００の表面角層よりも深部の表皮内や真皮浅層の様子を、マスターレンズ２０及びコンバージョンレンズ１１０を通すことでより拡大した状態で観察することができる。
【００３８】
（効果）
上記の実施の形態によれば、コンバージョンレンズ装置１００の装置本体１０への取り付けは、装置本体１０に設けた金属片３４と、コンバージョンレンズ装置１００に設けた永久磁石１３０とが引き合う力（磁力）を利用して行われる。そのため、コンバージョンレンズ装置１００の取り付け及び取り外しの際の複雑な作業は不要であり、コンバージョンレンズ装置１００の着脱作業を容易に行うことができる。
【００３９】
また、金属片３４は、図５に示すように、装置本体１０の傾斜面３１ｂに設けられ、その主面３４ａの法線Ｎ１がマスターレンズ２０の光軸ＯＡ１に近づくように（平行とならないように）、斜めに配置されている。このように、金属片３４を斜めに配置することにより、同じ面積を有する金属片をその主面を光軸ＯＡ１に対して直交させて配置した場合と比べて、永久磁石１３０による密着力を維持したままで、金属片３４の外径Ｒ１を小さくすることができる。これにより、装置本体１０において、平面寸法（ここではＸ−Ｙ平面内における寸法）を小さくでき、装置本体１０の小型化を実現することができる。また、金属片３４の外径Ｒ１を小さくできるため、金属片３４の外周に沿って形成された図６に示す被接触面３１ａの領域も小さくすることができる。これにより、コンバージョンレンズを取り付けるための構造をコンパクトにすることができる。
【００４０】
また、永久磁石１３０は、図８に示すように、主面１３０ａの法線Ｎ２がコンバージョンレンズ１１０の光軸ＯＡ２から離れるように（平行とならないように）斜めに配置されている。このように永久磁石１３０を斜めに配置することで、永久磁石１３０をコンバージョンレンズ１１０の光軸ＯＡ２と直交するように配置した場合と比べて、その磁力による密着力を維持したままで、コンバージョンレンズ装置１００の平面寸法（ここではＸ−Ｙ平面内における寸法）を小さくできる。これにより、コンバージョンレンズを取り付けるための構造をコンパクトにできるとともに、コンバージョンレンズ装置１００の小型化を実現することができる。
【００４１】
また、図１０に示すように、金属片３４の主面３４ａと、永久磁石１３０の主面１３０ａとが少なくとも一部で略平行となるように、金属片３４と永久磁石１３０とが配置されている。これにより、主面３４ａ及び主面１３０ａに、互いに引き付けあう力を十分に作用させることができる。これにより、検査装置１の大型化を抑制しつつ、コンバージョンレンズ装置１００を装置本体１０に取り付ける際に十分な保持力を確保することができる。
【００４２】
また、図１に示すように、合成樹脂製のケース体３０の被挿入部３０ａの周囲にステンレス製の金属片３４を取り付けている。このように、装置本体１０を異なる材質の部材から構成することにより、装置本体１０の意匠性を高めることができる。
【００４３】
また、図６に示すように、金属片３４の主面３４ａは、第１ケース３１の被接触面３１ａよりも段差Ｈだけ低い位置（＋Ｚ軸方向側の位置）に設けられている。さらに図１１に示すように、第２ケース１２２の接触回避部１２２ｂは、金属片３４との接触を回避するような形状を有している。これにより、コンバージョンレンズ装置１００と金属片３４との間に隙間を形成することができ、コンバージョンレンズ装置１００と金属片３４との接触を回避することができる。その結果、装置本体１０に設けられた金属片３４に傷がついたり、汚れがついたりすることを防止でき、装置本体１０の美観を維持することができる。また、金属片３４に与えるダメージを抑制できることから、永久磁石１３０による吸着力を維持することができるとともに、検査装置１の耐久性の向上を図ることができる。
【００４４】
また、コンバージョンレンズ装置１００には、装置本体１０に取り付けられる際に被挿入部３０ａに挿入される突出部１２２ｃが形成されている。これにより、コンバージョンレンズ装置１００を装置本体１０に取り付ける際、突出部１２２ｃを被挿入部３０ａに挿入するだけで、その後は磁力によりコンバージョンレンズ装置１００が装置本体１０に取り付けられ、保持される。そのため、コンバージョンレンズ装置１００の取り付け作業を簡単に素早くかつ確実に行うことができる。
【００４５】
また、突出部１２２ｃが装置本体１０の被挿入部３０ａに挿入される構成であるため、コンバージョンレンズ装置１００を装置本体１０に対してＸ−Ｙ平面上で（光軸ＯＡ２に直交する面上で）ずらすような力が作用したとしても、突出部１２２ｃが被挿入部３０ａに当接することによって、それ以上のコンバージョンレンズ装置１００の装置本体１０に対するずれが防止される。すなわち、突出部１２２ｃ及び被挿入部３０ａは、コンバージョンレンズ装置１００のＸ−Ｙ平面に平行な移動を制限する移動制限手段として作用する。
【００４６】
また、装置本体１０において、検査対象である皮膚が配置される＋Ｚ軸方向側の面から光が出射され、その反対側の面である−Ｚ軸方向側の面にコンバージョンレンズ装置１００が着脱される。これにより、皮膚を下にして上から覗き込むような検査姿勢をとったとしても、装置本体１０に取り付けたコンバージョンレンズ装置１００が外れて落下してしまうといった不具合は生じない。また、光を照射して皮膚を観察した状態のまま、コンバージョンレンズ装置１００の着脱を行えることから、第１状態と第２状態の切替を伴ったダーモスコピー検査をスムーズに行うことができる。
【００４７】
また、図１に示すコンバージョンレンズ装置１００に設けられたストラップ取付部１２６と、装置本体１０に設けられたストラップ取付部４３とにストラップを通すことで、コンバージョンレンズ装置１００と装置本体１０とを常に一緒に持ち運びすることができる。これにより、ダーモスコピー検査をスムーズに行うことができる。
【００４８】
（変形例）
この発明は、上記実施の形態に限定されず、様々な変形及び応用が可能である。装置本体１０とコンバージョンレンズ装置１００とに、どのような磁性体を取り付けるかは任意である。例えば、実施の形態の場合とは逆に、コンバージョンレンズ装置１００に永久磁石に吸着する金属片を設け、装置本体１０に永久磁石を設ける構成を採用してもよい。また、装置本体１０及びコンバージョンレンズ装置１００の両方に永久磁石を設けて、装置本体１０の永久磁石と、コンバージョンレンズ装置１００の永久磁石とが互いに引き合う構成を採用してもよい。また、金属片３４はステンレス製のものに限定されず、コバルトやニッケル等の強磁性体のものであればよい。
【００４９】
また、装置本体１０は、可視光を出射する光源と偏光した可視光を出射する光源を有しているとして説明したが、装置本体１０がどのような光源を有するかは任意である。例えば、紫外光を出射する光源を設けてもよいし、近赤外線光を出射する光源を設けてもよい。また、ＬＥＤから出射した光を偏光板を通すことで偏光光としていたが、ＬＥＤに偏光フィルムを貼り付けることで偏光光を出射する構成を採用してもよい。また、光源はＬＥＤに限定されず、ハロゲンランプ、蛍光ランプ、水銀ランプ、またはエレクトロルミネセンスランプ等の他の光源を採用してもよい。
【００５０】
また、上記実施の形態では、装置本体１０に１つのコンバージョンレンズ装置１００を着脱する場合について説明したが、例えば、互いに異なる倍率のコンバージョンレンズを有するコンバージョンレンズ装置を複数用意して、確認しようとする皮膚の倍率に合わせて取り付けるコンバージョンレンズ装置を選択するようにしてもよい。
【００５１】
また、上記実施の形態では、本発明を適用した検査装置１として皮膚を検査するダーモスコープを例として説明したが、他の検査装置にも本発明を適用することができる。例えば、耳や鼻の穴、口腔内、及び子宮頚部といった人体を検査する他の装置に適用することができる。さらには、工業製品を検査する拡大鏡、及び構造物を検査する拡大鏡についても本発明を適用することができる。
【００５２】
本発明は、本発明の広義の精神と範囲とを逸脱することなく、様々な実施の形態及び変形が可能とされるものである。また、前述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。以下に、本願出願の当初の特許請求の範囲に記載された発明を付記する。
【００５３】
（付記）
（付記１）
コンバージョンレンズを有するコンバージョンレンズ装置に設けられた第１磁性体と、
マスターレンズを有する装置本体に設けられた第２磁性体と、を備え、
前記第１磁性体の第１面と前記第２磁性体の第２面との間の吸着作用によって、前記コンバージョンレンズ装置が前記装置本体に取り付けられた状態に保持され、
前記第２磁性体は、前記第２面の法線が前記マスターレンズの光軸に平行とならないように設けられている、
コンバージョンレンズの取付構造。
【００５４】
（付記２）
前記第１磁性体は、前記第１面の少なくとも一部が前記第２磁性体の前記第２面と略平行となるように配置されている、
付記１に記載のコンバージョンレンズの取付構造。
【００５５】
（付記３）
前記装置本体には、前記吸着作用によって前記コンバージョンレンズ装置と密着する被接触面と、前記コンバージョンレンズ装置が挿入される被挿入部と、が形成されており、
前記装置本体における前記被接触面と前記被挿入部との間に、前記第２磁性体が設けられている、
付記１又は２に記載のコンバージョンレンズの取付構造。
【００５６】
（付記４）
前記コンバージョンレンズ装置は、前記コンバージョンレンズを保持するレンズ枠を有し、
前記レンズ枠には、前記第２磁性体に対応するように複数の前記第１磁性体が配置されている、
付記１から３のいずれか１つに記載のコンバージョンレンズの取付構造。
【００５７】
（付記５）
前記レンズ枠は、
前記装置本体における前記第２磁性体よりも外側の外周部に配置された前記被接触面と接触する接触部と、
前記接触部よりも前記コンバージョンレンズの光軸側に設けられ、前記第２磁性体との接触を回避するように形成された接触回避部と、を有している、
付記３に従属する付記４に記載のコンバージョンレンズの取付構造。
【００５８】
（付記６）
前記接触部と接触する前記被接触面の領域には、シボ加工が施されている、
付記５に記載のコンバージョンレンズの取付構造。
【００５９】
（付記７）
前記レンズ枠には、前記コンバージョンレンズ装置を前記装置本体に取り付けた際に円形状の前記被挿入部に挿入される円筒状の突出部が形成されている、
付記３に従属する付記４、付記５及び６のいずれか１つに記載のコンバージョンレンズの取付構造。
【００６０】
（付記８）
前記第１磁性体は永久磁石を含む、
付記１から７のいずれか１つに記載のコンバージョンレンズの取付構造。
【００６１】
（付記９）
前記第２磁性体はステンレスから構成された金属片を含む、
付記１から８のいずれか１つに記載のコンバージョンレンズの取付構造。
【００６２】
（付記１０）
付記１から９のいずれか１つに記載のコンバージョンレンズの取付構造を有する前記コンバージョンレンズ装置及び前記装置本体を備え、少なくとも前記マスターレンズを通して検査対象を検査するための検査装置であって、
前記装置本体は、可視光を検査対象に照射する第１光源及び偏向した可視光を検査対象に照射する第２光源を有する、
検査装置。
【００６３】
（付記１１）
前記第１光源及び前記第２光源は、前記装置本体の検査対象が位置する側であり、かつ前記コンバージョンレンズ装置が取り付けられる側とは反対側から光を照射する、
付記１０に記載の検査装置。
【００６４】
（付記１２）
前記第１光源及び第２光源は、前記マスターレンズの周囲に配置されている、
付記１０又は１１に記載の検査装置。
【符号の説明】
【００６５】
１・・・検査装置、１０・・・装置本体、２０・・・マスターレンズ、２０ａ・・・外周部、２１・・・カバープレート、２１ａ・・・外周部、３０・・・ケース体、３０ａ・・・被挿入部、３０ｂ・・・開口、３１・・・第１ケース、３１ａ・・・被接触面、３１ｂ・・・傾斜面、３１ｃ・・・傾斜壁、３２・・・第２ケース、３２ａ・・・開口、３３・・・両面テープ、３４・・・金属片、３４ａ・・・主面、３５ａ・・・拡幅部、３５ｂ・・・半円部、３６ａ・・・拡幅部、３６ｂ・・・半円部、４０・・・電池、４１・・・回路基板、４２・・・充電用端子、４３・・・ストラップ取付部、４４・・・電源ボタン、４５・・・切替ボタン、５０・・・ＬＥＤ、５１・・・ＬＥＤ基板、５２・・・導光部、５３・・・収容部、５３ａ・・・開口、５４・・・偏光板、５４ａ・・・切欠き、５４ｂ・・・内縁、１００・・・コンバージョンレンズ装置、１１０・・・コンバージョンレンズ、１１０ａ・・・外縁、１２０・・・レンズ枠、１２１・・・第１ケース、１２１ａ・・・開口、１２２・・・第２ケース、１２２ａ・・・接触部、１２２ｂ・・・接触回避部、１２２ｃ・・・突出部、１２２ｄ・・・外周面、１２３・・・傾斜面、１２４・・・開口、１２５・・・窪み部、１２６・・・ストラップ取付部、１３０・・・永久磁石、１３０ａ・・・主面、１５０・・・接触領域、３００・・・皮膚、４００・・・可視光、５００・・・偏光した可視光
【要約】
【課題】装置本体へのコンバージョンレンズの保持力を適切に確保できるとともに、コンバージョンレンズを取り付けるための構造をコンパクトにすることができるコンバージョンレンズの取付構造を提供する。
【解決手段】コンバージョンレンズの取付構造は、コンバージョンレンズ１１０を有するコンバージョンレンズ装置１００に設けられた第１磁性体１３０と、マスターレンズ２０を有する装置本体１０に設けられた第２磁性体３４とを備える。第１磁性体１３０の第１面１３０ａと第２磁性体３４の第２面３４ａとが互いに引き合うことで、コンバージョンレンズ装置１００が装置本体１０に取り付けられ、第２磁性体３４は、第２面３４ａの法線がマスターレンズ２０の光軸に平行とならないように設けられている。
【選択図】図１０【図１】
0006915710.tif 000002
【図２】
0006915710.tif 000003
【図３】
0006915710.tif 000004
【図４】
0006915710.tif 000005
【図５】
0006915710.tif 000006
【図６】
0006915710.tif 000007
【図７】
0006915710.tif 000008
【図８】
0006915710.tif 000009
【図９】
0006915710.tif 000010
【図１０】
0006915710.tif 000011
【図１１】
0006915710.tif 000012
【図１２】
0006915710.tif 000013
【図１３】
0006915710.tif 000014